(57)【要約】【課題】ヘルメット表面に耐久性のある文字、画像、図形、彩色パターンなどの加飾を簡単に形成できるヘルメットおよびその製造方法を実現する。【解決手段】本発明のヘルメットは、ヘルメット本体２と、その内部に配置される頭部保持部材７とを備えたヘルメットにおいて、内表面に、文字、画像、図形、彩色パターンの少なくとも１つを用いて加飾を施したキャップ状フィルム加飾体１を、ヘルメット本体の外表面に添着し、螺着などの手段で固定したことを特徴とするものである。  このキャップ状フィルム加飾体２は、透明プラスチックフィルムの一表面に、加飾を施し、真空成形などの手段によって成型してキャップ状とする。このキャップ状フィルム加飾体をヘルメット本体上に載置し、固定して製造する。【選択図】図１
2010285725.tif 000002
【特許請求の範囲】
【請求項１】
人の頭部を保護するヘルメット本体と、この内部に配置される頭部保持部材とを備えたヘルメットにおいて、
内表面に加飾を施したキャップ状フィルム加飾体を、ヘルメット本体の外表面に添着し、固定したことを特徴とするヘルメット。
【請求項２】
前記ヘルメットにおいて、キャップ状フィルム加飾体は、熱可塑性フィルムの一面に顔料性インクを用いて文字、画像、図形、および彩色パターンの少なくとも１つの表示を形成し、前記ヘルメット本体表面とほぼ同等の形状に成形されたものであることを特徴とする請求項１に記載のヘルメット。
【請求項３】
透明プラスチックフィルムの一表面に、文字、画像、図形、および彩色パターンの少なくとも１つの表示を形成する工程と、
前記表示が内面になるように、キャップ状に形成してキャップ状フィルム加飾体を作成する工程と、
前記キャップ状フィルム加飾体の縁部に開孔を形成する工程と、
縁部に開孔を有するヘルメット本体の表面に前記キャップ状フィルム加飾体を載置し、前記ヘルメット本体に形成されている開孔、および前記キャップ状フィルム加飾体に形成されている開孔を通して、固定具によって固定することを特徴とするヘルメットの製造方法。
【請求項４】
前記ヘルメットの製造方法において、前記ヘルメット本体と、前記キャップ状フィルム加飾体とを固定具を用いて固定する際に、頭部保持部材を前記固定具によって同時に固定することを特徴とする請求項３に記載のヘルメットの製造方法。
【発明の詳細な説明】
【技術分野】
【０００１】
この発明は、外的衝撃から頭部を保護するためのヘルメットおよびその製造方法に関するものである。
【背景技術】
【０００２】
一般に工事現場等では、作業者は頭を保護するためにヘルメットの着用が義務化されている。
【０００３】
作業現場等で用いるヘルメットは、頭部全体を保護するためのキャップ状のヘルメット本体と、このヘルメット本体の内面に組み付けられ頭部保持部材とを備えている。前記ヘルメット本体はプラスチック樹脂材料、特にＡＢＳ樹脂、繊維強化プラスチック（ＦＲＰ）のような高強度の樹脂材料から形成されている。
【０００４】
人がこのようなヘルメットを着用した状態では、人の頭部がベルト状の頭部保持部材によって保持され、人の頭とヘルメット本体の内面との間に形成される空間によって、ヘルメット本体に衝撃が加わった際に頭がヘルメット本体の内面に当たらないように、緩衝の役割を果たすようになっている。
【０００５】
この作業用のヘルメットには、通常、そのヘルメット本体表面に、所属会社名、所有者名、安全標語などを表示することが行われている。このような表示は、ヘルメット本体の表面に、粘着剤付きラベルを用いて、所用の表示を行うほか、印刷などの手段で、その表面に表示ないし加飾を行っている。
ところで、このような表示方法は、その表示の耐久性に乏しく、長期間の使用によって、その表示が劣化し、判読不可能になることが多い。
【０００６】
さらに、ヘルメット本体はキャップ状のような非平面の形状をしており、このような表面に粘着剤付きラベルで表示を行う場合、ラベルを非平面のキャップ状表面全面に沿って皺が生じないように貼着することは困難であった。また、印刷による方法においても、図形、文字のひずみを生じることなく、優れた外観を有する表示を行うことは極めて困難であった。
従って、簡単な手段によってヘルメット本体表面に、耐久性のある文字、画像等の表示が可能なヘルメットが求められていた。
【０００７】
また、最近、小児が自転車を運転する場合などで、危険を避けるために、ヘルメットを着用することが推奨されている。小児が自ら好んでヘルメットを着用するには、小児の嗜好にあった画像、図形、彩色パターンなどをヘルメット表面に形成することが好ましく、手軽で、安価に画像などを形成する手段が求められている。
【先行技術文献】
【特許文献】
【０００８】
【特許文献１】実用新案登録第３０９６３９２号公報
【発明の概要】
【発明が解決しようとする課題】
【０００９】
本願発明は、上記従来技術の欠点を改善するために行われたもので、非平面のキャップ状ヘルメット表面、特のその全面に文字、画像、図形、および彩色パターンなどの加飾を簡単に形成することができるヘルメットおよびその製造方法を実現することを目的とするものである。
【課題を解決するための手段】
【００１０】
本発明のヘルメットは、ヘルメット本体と、その内部に配置される頭部保持部材とを備えたヘルメットにおいて、内表面に、文字、画像、図形、彩色パターンの少なくとも１つを用いて加飾を施したキャップ状フィルム加飾体を、ヘルメット本体の外表面に添着し、螺着などの手段で固定したことを特徴とするものである。キャップ状フィルム加飾体は、ヘルメット本体表面とほぼ同等の形状に成形され、ヘルメット本体にキャップ状フィルム加飾体を載置した場合、余分な空間を形成することなく密着する形状とすることが望ましい。
【００１１】
また、本発明のヘルメットの製造方法は、透明プラスチックフィルムの一表面に、文字、画像、図形、彩色パターンの少なくとも１つからなる加飾を施し、当該文字、画像、図形、彩色パターンなどが内面になるように、真空成形などの手段によって成型してキャップ状とする。このキャップ状フィルム加飾体の底辺部分に、ヘルメット本体の底部側面に形成した開孔に対応する位置に孔を形成し、これをヘルメット本体上に載置し、ヘルメット本体およびキャップ状フィルム加飾体をボルトとナットのような固定具で固定して製造するものである。このキャップ状フィルム加飾体とヘルメット本体とを固定具で固着する際に、ヘルメット内部に配置する頭部保持部材を同時に固着することが好ましい。
【発明の効果】
【００１２】
本発明のヘルメットによれば、簡単な方法によってヘルメット表面に耐久性があり、しかも交換可能な表示を施すことができる。また、ヘルメットの製造方法によれば、簡単な方法によって、ヘルメット表面に外観に優れ、耐久性のある加飾、表示を施すことが可能になる。
【図面の簡単な説明】
【００１３】
【図１】本発明のヘルメットの断面図である。
【発明を実施するための形態】
【００１４】
（ヘルメット）
図１に本発明のヘルメットの一例を示す。
図に示すヘルメットは、主として工事現場で使用するのに適したものであって、頭部を覆うキャップ状のヘルメット本体２と、該ヘルメット本体２の内面側に取り付けた、ハンモック３とヘッドバンド４とからなる頭部保持部材７とを備え、人がヘルメットを着用した状態では、頭部保持部材７に人の頭が嵌め込まれて、人の頭とヘルメット本体２の内面との間に緩衝空間８が形成されて、ヘルメット本体２に衝撃が加わった際に頭がヘルメット本体２の内面に当たらないようにしている。
【００１５】
ヘルメット本体２の前部には、ツバ９が一体形成されていても良い。このヘルメット本体２はＡＢＳ樹脂や、ＦＲＰのような耐衝撃性プラスチックを用いて形成されている。
【００１６】
頭部保持部材７は、プラスチックなどの可撓性を有するベルトを組合せ、頭部に嵌合可能な形状としたもので、この頭部保持部材は、ヘルメット本体２と、ボルト・ナットの組合せのような固定具５を用いて着脱自在に固着されている。
【００１７】
ヘルメット本体２の外表面状には、その内面に加飾を施したキャップ状フィルム加飾体１が載置され、ヘルメット本体２およびキャップ状フィルム加飾体１のそれぞれの縁部に形成された開孔を通して固定具５で固着されている。
【００１８】
このキャップ状フィルム加飾体は、ポリーカーボネートなどのような熱可塑性透明フィルムで形成することができる。
【００１９】
ヘルメット本体２およびキャップ状フィルム加飾体１の端部には、これらの縁部をゴム状材料からなる縁部被覆部材６で被覆しておくことが切り傷を防止するために好ましい。縁部被覆部材は、断面凹状の長尺棒状部材で、その溝部にヘルメット本体２端部およびキャップ状フィルム加飾体１端部を嵌合して保護するものである。
【００２０】
（ヘルメットの製造方法）
また、本発明のヘルメットの製造方法は、まず、熱可塑性透明プラスチックフィルムの一表面に、文字、画像、図形、色彩パターンなどの加飾を施す。これらの加飾を行うには、スクリーン印刷、オフセット印刷、バブルジェット（登録商標）印刷など、従来周知の方法によって行うことができる。印刷に用いるインクは顔料性のインクが好ましい。文字、画像、図形、彩色パターンなどは、任意の形状で印刷することが可能であるが、フィルムの成形に当たって、平面からキャップ状に変形するため、文字、画像、図形、彩色パターンなどがひずむことになる。このひずみを考慮した上で、文字、画像、図形、彩色パターンなどを印刷することによって、最終的に所要の外観表示とすることができる。
【００２１】
上記加飾を施した透明プラスチックフィルムは、当該文字、画像、図形、彩色パターンなどが内面になるように、真空成形などの手段によって成形してキャップ状とする。このキャップ状とは、人の頭部に近似した帽子状の形状を意味している。
【００２２】
キャップ状フィルム加飾体の成形においては、熱可塑性フィルムの成型方法として任意の公知の方法を採用することができるが、特に上記したように真空成形方法を採用することが好ましい。真空成型方法は、キャップ状プラスチックフィルム加飾体の形状をしたモールドを用意し、プラスチックフィルムをその上に載置し、プラスチックフィルムを加熱しながら、モールドの凹部と表面に載置されたプラスチックフィルムとで形成される空間内部を真空ポンプのような排気手段を用いて減圧する。プラスチックフィルムは加熱され、軟化してモールドの凹部に内部表面に密着してキャップ状の形状となり、これを冷却することによって成形体が得られる。
【００２３】
このキャップ状フィルム加飾体の底辺部分に、ヘルメット本体の底部側面に形成した開孔に対応する位置に、慣用の手段で、固定のための孔を所要の個数だけ形成する。
【００２４】
上記キャップ状フィルム加飾体を、別途周知の方法によって作成されたヘルメット本体上に密着載置し、ヘルメット本体およびキャップ状フィルム加飾体を固定具によって固定して製造するものである。このキャップ状フィルム加飾体とヘルメット本体とを固定具で固着する際に、ヘルメット内部に配置する頭部保持部材を同時に固着することが好ましい。
本実施の形態における固定具としては、ボルトとナット、あるいは棒状突起を有する突状部材とこの突起と嵌合する孔を有する受け具との組み合わせによるもの等を用いることができる。
【００２５】
ヘルメット本体とキャップ状フィルム加飾体との縁部は、相互に接触していることが好ましい。これらの端部が鋭利な形状となっている場合には、人が接触して切り傷の原因となるので、これらの縁部をゴム状材料からなる縁部被覆部材６で被覆しておくことが切り傷を防止するために好ましい。縁部被覆部材は、断面凹状の長尺棒状部材で、その溝部にヘルメット本体端部およびキャップ状フィルム加飾体の端部を嵌合して保護するものである。このゴム状の縁部被覆部材６は、ヘルメット本体端部およびキャップ状フィルム加飾体端部に接着剤等によって固着していても良いが、キャップ状フィルム加飾体を交換可能にするためには、容易に剥離可能な状態にしておくことが好ましい。
【００２６】
（加飾体の交換）
上記ヘルメット本体の表面に固着されたキャップ状フィルム加飾体は、これらの縁部を被覆している縁部被覆部材、および、これらを固着している固定具による係止を解くことによって、容易に形状を破壊することなく脱離させることが可能である。そして、古いキャップ状フィルム加飾体に替えて新たなキャップ状フィルム加飾体を用いることにより異なった表示のヘルメットとすることが容易にできる。
【符号の説明】
【００２７】
１…キャップ状フィルム加飾体
２…ヘルメット本体
３…ハンモック
４…ヘッドバンド
５…固定具
６…縁部被覆部材
７…頭部保持部材
８…頭部空間
９…ツバ
【図１】
2010285725.tif 000003